(57)【特許請求の範囲】
【請求項１】
道路に沿って立設され、車両運転者の視線誘導を行う自発光式デリネータであって、
上部及び下部が開口した透明パイプと、
透明パイプの上部開口を覆蓋する上部キャップと、
透明パイプの下部開口を覆蓋すると共に、設置場所に固定される下部キャップと、
透明パイプに内装される指向性の発光部と、
透明パイプに内装され、発光部に電源供給を行う指向性の太陽電池部とを備えて構成され、
下部キャップを設置場所に固定した後であっても、透明パイプから上部キャップ及び下部キャップを外すことなく、発光部の向きを変更可能にした
ことを特徴とする自発光式デリネータ。
【請求項２】
前記太陽電池部は、透明パイプの中空部下側に内装されると共に、下部キャップに対して固定され、
発光部は、透明パイプの中空部上側に回動自在に内装されると共に、上部キャップに係合され、
上部キャップは、透明パイプの上端部に回動自在に嵌合され、外部からの回動操作に応じて発光部の向きを変更することを特徴とする請求項１記載の自発光式デリネータ。
【請求項３】
前記発光部の下端部には、透明パイプの内周面に摺接して発光部の回動を案内する回動案内部が設けられることを特徴とする請求項２記載の自発光式デリネータ。
【請求項４】
前記回動案内部は、透明パイプの外周面に貼着される反射シートによって隠蔽されることを特徴とする請求項３記載の自発光式デリネータ。
【請求項５】
道路に沿って立設され、車両運転者の視線誘導を行う自発光式デリネータであって、
上部及び下部が開口した透明パイプと、
透明パイプの上部開口を覆蓋する上部キャップと、
透明パイプの下部開口を覆蓋すると共に、設置場所に固定される下部キャップと、
透明パイプに内装される指向性の発光部と、
透明パイプに内装され、発光部に電源供給を行う指向性の太陽電池部とを備えて構成され、
下部キャップを設置場所に固定した後であっても、透明パイプから上部キャップ及び下部キャップを外すことなく、太陽電池部の向きを変更可能にした
ことを特徴とする自発光式デリネータ。
【請求項６】
前記発光部は、透明パイプの中空部下側に内装されると共に、下部キャップに対して固定され、
太陽電池部は、透明パイプの中空部上側に回動自在に内装されると共に、上部キャップに係合され、
上部キャップは、透明パイプの上端部に回動自在に嵌合され、外部からの回動操作に応じて太陽電池部の向きを変更することを特徴とする請求項５記載の自発光式デリネータ。
【請求項７】
前記太陽電池部の下端部には、透明パイプの内周面に摺接して太陽電池部の回動を案内する回動案内部が設けられることを特徴とする請求項６記載の自発光式デリネータ。
【請求項８】
前記回動案内部は、透明パイプの外周面に貼着される反射シートによって隠蔽されることを特徴とする請求項７記載の自発光式デリネータ。
【発明の詳細な説明】
【技術分野】
【０００１】
本発明は、道路に沿って立設され、車両運転者の視線誘導を行う自発光式デリネータに関し、特に、透明パイプの内部に、指向性の発光部及び太陽電池部を組み込んで構成される自発光式デリネータに関する。
【背景技術】
【０００２】
道路に沿って立設され、車両運転者の視線誘導を行う自発光式デリネータが知られている（例えば、特許文献１、２参照）。特許文献１に示される自発光式デリネータは、上部及び下部が開口した透明パイプと、透明パイプの上部開口を覆蓋する上部キャップと、透明パイプの下部開口を覆蓋すると共に、設置場所に固定される下部キャップと、透明パイプに内装される指向性の発光部と、上部キャップに設けられる無指向性の太陽電池部とを備えて構成されている。このような自発光式デリネータによれば、発光部を上下方向に長くし、様々な高さの車両に対して良好な視認性を発揮でき、また、透明パイプを円筒パイプとすれば、発光面への雪の付着も効果的に防止することができる。
【０００３】
また、特許文献２に示される自発光式デリネータも、特許文献１のものと同様に、透明パイプ、上部キャップ及び下部キャップを備えており、透明パイプには、無指向性の発光部と、指向性の太陽電池部が内装されている。
【特許文献１】実用新案登録第３００００４４号公報
【特許文献２】実用新案登録第３０３３６３３号公報
【発明の開示】
【発明が解決しようとする課題】
【０００４】
透明パイプに発光部及び太陽電池部を内装する自発光式デリネータとしては、透明パイプに、指向性の発光部と、指向性の太陽電池部を内装するというバリエーションも考えられる。このような自発光式デリネータによれば、発光部に設けられる発光ダイオード数や、太陽電池部に設けられる太陽電池パネル数の増加によるコスト上昇を抑えつつ、所定の視野角範囲で視線誘導表示を行うことが可能であるが、特許文献１、２の自発光式デリネータと比較すると、設置作業に手間がかかるという問題がある。
【０００５】
つまり、特許文献１に示される自発光式デリネータでは、太陽電池部が無指向性であるため、指向性の発光部が所定の方向（車両運転者と対峙する方向）を向くように設置すればよく、また、特許文献２に示される自発光式デリネータでは、発光部が無指向性であるため、指向性の太陽電池部が所定の方向（通常は、南向き）を向くように設置すればよいが、発光部及び太陽電池部が指向性である場合は、透明パイプに内装した発光部の向きと太陽電池部の向きを個別に調整しなければならないため、設置作業に手間がかかってしまうことになる。
【課題を解決するための手段】
【０００６】
本発明は、上記の如き実情に鑑みこれらの課題を解決することを目的として創作されたものであって、道路に沿って立設され、車両運転者の視線誘導を行う自発光式デリネータであって、上部及び下部が開口した透明パイプと、透明パイプの上部開口を覆蓋する上部キャップと、透明パイプの下部開口を覆蓋すると共に、設置場所に固定される下部キャップと、透明パイプに内装される指向性の発光部と、透明パイプに内装され、発光部に電源供給を行う指向性の太陽電池部とを備えて構成され、下部キャップを設置場所に固定した後であっても、透明パイプから上部キャップ及び下部キャップを外すことなく、発光部の向きを変更可能にしたことを特徴とする。このようにすると、太陽電池部が所定の方向（通常は、南向き）を向くように下部キャップを設置場所に固定した後、透明パイプから上部キャップや下部キャップを外さなくても、発光部の向きを所定の方向（車両運転者と対峙する方向）に合わせることができる。その結果、透明パイプの内部に、指向性の発光部及び太陽電池部を組み込んで構成されるものでありながら、設置作業が容易になる。
また、前記太陽電池部は、透明パイプの中空部下側に内装されると共に、下部キャップに対して固定され、発光部は、透明パイプの中空部上側に回動自在に内装されると共に、上部キャップに係合され、上部キャップは、透明パイプの上端部に回動自在に嵌合され、外部からの回動操作に応じて発光部の向きを変更することを特徴とする。このようにすると、上部キャップを利用して発光部の向きを変更するようにしたので、部品点数の増加や、それに伴うコストアップを回避することができる。
また、前記発光部の下端部には、透明パイプの内周面に摺接して発光部の回動をガイドする発光部回動ガイドが設けられることを特徴とする。このようにすると、発光部の回動が円滑になるので、発光部の向きを変更する際の操作が容易になる。
また、前記発光部回動ガイドは、透明パイプの外周面に貼着される反射シートによって隠蔽されることを特徴とする。このようにすると、発光部回動ガイドの露出による外観の低下を回避できるだけでなく、反射シートによって夜間の視認性を向上させることができる。
また、道路に沿って立設され、車両運転者の視線誘導を行う自発光式デリネータであって、上部及び下部が開口した透明パイプと、透明パイプの上部開口を覆蓋する上部キャップと、透明パイプの下部開口を覆蓋すると共に、設置場所に固定される下部キャップと、透明パイプに内装される指向性の発光部と、透明パイプに内装され、発光部に電源供給を行う指向性の太陽電池部とを備えて構成され、下部キャップを設置場所に固定した後であっても、透明パイプから上部キャップ及び下部キャップを外すことなく、太陽電池部の向きを変更可能にしたことを特徴とする。このようにすると、発光部が所定の方向（車両運転者と対峙する方向）を向くように下部キャップを設置場所に固定した後、透明パイプから上部キャップや下部キャップを外さなくても、太陽電池部の向きを所定の方向（通常は、南向き）に合わせることができる。その結果、透明パイプの内部に、指向性の発光部及び太陽電池部を組み込んで構成されるものでありながら、設置作業が容易になる。
また、前記発光部は、透明パイプの中空部下側に内装されると共に、下部キャップに対して固定され、太陽電池部は、透明パイプの中空部上側に回動自在に内装されると共に、上部キャップに係合され、上部キャップは、透明パイプの上端部に回動自在に嵌合され、外部からの回動操作に応じて太陽電池部の向きを変更することを特徴とする。このようにすると、上部キャップを利用して太陽電池部の向きを変更するようにしたので、部品点数の増加や、それに伴うコストアップを回避することができる。
また、前記太陽電池部の下端部には、透明パイプの内周面に摺接して太陽電池部の回動をガイドする太陽電池部回動ガイドが設けられることを特徴とする。このようにすると、太陽電池部の回動が円滑になるので、太陽電池部の向きを変更する際の操作が容易になる。
また、前記太陽電池部回動ガイドは、透明パイプの外周面に貼着される反射シートによって隠蔽されることを特徴とする。このようにすると、太陽電池部回動ガイドの露出による外観の低下を回避できるだけでなく、反射シートによって夜間の視認性を向上させることができる。
【発明を実施するための最良の形態】
【０００７】
［第一実施形態］
次に、本発明の実施の形態について、図面に基づいて説明する。図面において、１は道路に沿って立設され、車両運転者の視線誘導を行う自発光式デリネータであって、該自発光式デリネータ１は、透明パイプ２、上部キャップ３、下部キャップ４、発光部５及び太陽電池部６を備えて構成されている。
【０００８】
透明パイプ２は、上部及び下部が開口した縦向きの樹脂管からなり、例えば、ポリカーボネート製の円筒管を縦向きに用いる。本発明の透明パイプ２としては、円筒管に限定されず、例えば、断面４角形などの角筒管を使用することも可能であるが、円筒管を縦向きに使用すると、外周面への雪の付着を効果的に防止できるので、降雪量の多い地域に設置する場合は極めて有利である。
【０００９】
上部キャップ３及び下部キャップ４は、透明パイプ２の上部開口及び下部開口を覆蓋するためのキャップ部材であり、例えば、アルミ鋳物や不透明樹脂で形成される。下部キャップ４は、透明パイプ２の下部開口を覆蓋するキャップ部材として機能するだけでなく、設置場所に固定される取付部材にも兼用されている。具体的に説明すると、本実施形態の下部キャップ４は、設置場所である支柱７の上端部に回動自在に嵌合する嵌合凹部４ａを有し、該嵌合状態で自発光式デリネータ１の設置方向を調整した後、下部キャップ４の外周側から螺入される複数のネジ（例えば、六角孔付きボルト）８を支柱７の外周部に圧接又は喰い込ませることにより、支柱７に対して一体的に固定される。
【００１０】
なお、透明パイプ２に対する上部キャップ３及び下部キャップ４の固定は、支柱７への固定と同様、上部キャップ３や下部キャップ４の外周側から螺入される複数のネジ（例えば、六角孔付きボルト）８を透明パイプ２の外周部に圧接又は喰い込ませることにより行われる。
【００１１】
発光部５は、透明パイプ２の上半部に内装されるものであり、アルミ板材を曲げ加工して形成される縦長の発光部ケース５ａと、該発光部ケース５ａに上下方向所定間隔を存して配置される複数の発光ダイオード５ｂと、発光ダイオード５ｂの発光動作を制御する発光制御基板５ｃとを一体的に備えて構成されている。発光ダイオード５ｂは、発光部ケース５ａの限られた一部の面（例えば、正面）に配置されている。つまり、本発明の自発光式デリネータ１に組み込まれる発光部５は、指向性を有しており、設置に際しては、発光ダイオード５ｂが車両運転者と対峙するように発光部５の向きを調整する必要がある。
【００１２】
太陽電池部６は、透明パイプ２の下半部に内装されるものであり、アルミ板材を曲げ加工して形成される縦長の太陽電池部ケース６ａと、太陽光などの光を受けて発電する太陽電池パネル６ｂと、太陽電池パネル６ｂの発電を蓄電する蓄電池６ｃとを備えて構成され、蓄電池６ｃから発光部５への電源供給が行われる。太陽電池パネル６ｂは、太陽電池部ケース６ａの限られた一部の面（例えば、正面）に配置されている。つまり、本発明の自発光式デリネータ１に組み込まれる太陽電池部６は、指向性を有しており、設置に際しては、太陽電池パネル６ｂが所定の方向（通常は、南向き）を向くように太陽電池部６の向きを調整する必要がある。
【００１３】
本発明の自発光式デリネータ１は、設置に際して発光部５及び太陽電池部６の向きを調整するにあたり、下部キャップ４を設置場所に固定した後であっても、透明パイプ２から上部キャップ３及び下部キャップ４を外すことなく、発光部５の向きを変更可能にしたところに特徴を有する。すなわち、太陽電池部６が所定の方向を向くように下部キャップ４を支柱７に固定した後、透明パイプ２から上部キャップ３や下部キャップ４を外さなくても、発光部５の向きを所定の方向に合わせることができるので、透明パイプ２の内部に、指向性の発光部５及び太陽電池部６を組み込んで構成されるものでありながら、設置作業が容易になるという優れた効果が得られる。
【００１４】
具体的に説明すると、太陽電池部６は、透明パイプ２の中空部下側に内装されると共に、下端部（太陽電池部ケース６ａの下端部に形成されるＬ字部）が下部キャップ４に対して固定（例えば、ネジ止め）されている。したがって、下部キャップ４を支柱７に回動自在に嵌合させた状態では、太陽電池部６の向き（自発光式デリネータ１の向き）を自由に調整することができると共に、下部キャップ４を支柱７に固定することにより、太陽電池部６の向きが決定される。
【００１５】
一方、発光部５は、透明パイプ２の中空部上側に回動自在に内装されると共に、上部キャップ３に係合されている。具体的には、上部キャップ３の下面部に係合凹部３ａが形成されており、この係合凹部３ａに対して発光部ケース５ａの上端部突出片が回動不能に係合されている。また、上部キャップ３は、透明パイプ２の上端部に回動自在に嵌合されている。例えば、上部キャップ３の下面部に円形の嵌合凹部３ｂを形成し、この嵌合凹部３ｂを透明パイプ２の上端部に嵌合させる。
【００１６】
このようにすると、発光部５が上部キャップ３と一体回動可能に連結されると共に、上部キャップ３が透明パイプ２に対して回動自在となるので、外部から上部キャップ３を回動操作すれば、透明パイプ２に内装されている発光部５の向きを自由に変更することが可能になる。そして、このように構成によれば、別途部材を追加することなく、上部キャップ３を利用して発光部５の向きを変更できるので、部品点数の増加や、それに伴うコストアップを回避することが可能になる。なお、発光部５の向きは、上部キャップ３を透明パイプ２に固定することで決定される。
【００１７】
上記のように自発光式デリネータ１を構成する場合、発光部５の下端部には、透明パイプ２の内周面に摺接して発光部５の回動をガイドする発光部回動ガイド５ｄが設けられることが好ましい。例えば、発光部ケース５ａの下端部に太陽電池部６の上端部に当接する円盤部５ｅを形成し、該円盤部５ｅの外周縁部に樹脂製の摺動促進部材５ｆを装着し、発光部回動ガイド５ｄとして機能させる。このような発光部回動ガイド５ｄを設けると、発光部５の回動が円滑になるので、発光部５の向きを変更する際の操作が容易になるという利点がある。
【００１８】
また、発光部回動ガイド５ｄは、透明パイプ２の外周面に貼着される反射シート９によって隠蔽されることが好ましい。このようにすると、発光部回動ガイド５ｄの露出による外観の低下を回避できるだけでなく、反射シート９によって夜間の視認性を向上させることができる。
【００１９】
次に、本実施形態に係る自発光式デリネータ１の設置手順を説明する。まず、組立完成状態の自発光式デリネータ１を支柱７の上端部に仮設置する。これは、下部キャップ４の嵌合凹部４ａを支柱７の上端部に嵌合することにより行われ、この状態では、下部キャップ４が支柱７に対して回動自在であるため、太陽電池部６の向き（自発光式デリネータ１の向き）を自由に調整することができる。そして、太陽電池部６の向きが決まったら、下部キャップ４の外周側から螺入される複数のネジ８を締め方向に回し、下部キャップ４を支柱７に固定する。
【００２０】
次に、上部キャップ３の外周側から螺入されている複数のネジ８を緩め方向に回し、透明パイプ２に対する上部キャップ３の固定を解除する。この状態では、上部キャップ３が透明パイプ２に対して回動自在になるので、外部から上部キャップ３を回動操作することができ、ここで、上部キャップ３を回動操作すると、連結状態の発光部５も一体的に回動し、その向きが変更されることになる。そして、発光部５の向きが決まったら、上部キャップ３の外周側から螺入される複数のネジ８を締め方向に回し、上部キャップ３を透明パイプ２に固定する。以上で、本実施形態に係る自発光式デリネータ１の設置作業が完了する。
【００２１】
叙述の如く構成された本実施形態によれば、道路に沿って立設され、車両運転者の視線誘導を行う自発光式デリネータ１であって、上部及び下部が開口した透明パイプ２と、透明パイプ２の上部開口を覆蓋する上部キャップ３と、透明パイプ２の下部開口を覆蓋すると共に、設置場所に固定される下部キャップ４と、透明パイプ２に内装される指向性の発光部５と、透明パイプ２に内装され、発光部５に電源供給を行う指向性の太陽電池部６とを備えて構成され、下部キャップ４を設置場所に固定した後であっても、透明パイプ２から上部キャップ３及び下部キャップ４を外すことなく、発光部５の向きを変更可能にしたので、透明パイプ２の内部に、指向性の発光部５及び太陽電池部６を組み込んで構成されるものでありながら、設置作業が容易になる。
【００２２】
また、太陽電池部６は、透明パイプ２の中空部下側に内装されると共に、下部キャップ４に対して固定され、発光部５は、透明パイプ２の中空部上側に回動自在に内装されると共に、上部キャップ３に係合され、上部キャップ３は、透明パイプ２の上端部に回動自在に嵌合され、外部からの回動操作に応じて発光部５の向きを変更するので、上部キャップ３を利用して発光部５の向きを変更することができ、その結果、部品点数の増加や、それに伴うコストアップを回避することができる。
【００２３】
また、発光部５の下端部には、透明パイプ２の内周面に摺接して発光部５の回動をガイドする発光部回動ガイド５ｄが設けられるので、発光部５の回動を円滑にし、発光部５の向きを変更する際の操作性を向上させることができる。
【００２４】
また、発光部回動ガイド５ｄは、透明パイプ２の外周面に貼着される反射シート９によって隠蔽されるので、発光部回動ガイド５ｄの露出による外観の低下を回避できるだけでなく、反射シート９によって夜間の視認性を向上させることができる。
【００２５】
［第二実施形態］
次に、本発明の第二実施形態に係る自発光式デリネータについて説明する。ただし、第二実施形態の自発光式デリネータは、発光部と太陽電池部との位置関係を上下逆にした点が第一実施形態との主な相違点であり、構造的には大きな差異はないため、第二実施形態に係る自発光式デリネータの図面は省略し、文章のみの説明とする。
【００２６】
第二実施形態の自発光式デリネータは、上部及び下部が開口した透明パイプと、透明パイプの上部開口を覆蓋する上部キャップと、透明パイプの下部開口を覆蓋すると共に、設置場所に固定される下部キャップと、透明パイプに内装される指向性の発光部と、透明パイプに内装され、発光部に電源供給を行う指向性の太陽電池部とを備えて構成される点においては、第一実施形態と同様であるが、下部キャップを設置場所に固定した後であっても、透明パイプから上部キャップ及び下部キャップを外すことなく、太陽電池部の向きを変更可能にした点が第一実施形態と相違している。
【００２７】
つまり、第二実施形態の自発光式デリネータにおいて、発光部は、透明パイプの中空部下側に内装されると共に、下部キャップに対して固定され、太陽電池部は、透明パイプの中空部上側に回動自在に内装されると共に、上部キャップに係合され、上部キャップは、透明パイプの上端部に回動自在に嵌合され、外部からの回動操作に応じて太陽電池部の向きを変更するように構成されている。このように自発光式デリネータを構成しても、第一実施形態と略同様な作用効果が得られる。
【００２８】
また、第二実施形態のように自発光式デリネータを構成する場合、太陽電池部の下端部には、透明パイプの内周面に摺接して太陽電池部の回動をガイドする太陽電池部回動ガイド（第一実施形態の発光部回動ガイド５ｄに相当）が設けられることが好ましい。また、太陽電池部回動ガイドは、透明パイプの外周面に貼着される反射シートによって隠蔽されることが好ましい。
【図面の簡単な説明】
【００２９】
【図１】設置状態を示す自発光式デリネータの正面図である。
【図２】反射シートを省いた自発光式デリネータの正面図である。
【図３】反射シートを省いた自発光式デリネータの側面図である。
【図４】反射シートを省いた自発光式デリネータの背面図である。
【図５】自発光式デリネータのＡ−Ａ断面図である。
【図６】自発光式デリネータのＢ−Ｂ断面図である。
【図７】自発光式デリネータのＣ−Ｃ断面図である。
【符号の説明】
【００３０】
１    自発光式デリネータ
２    透明パイプ
３    上部キャップ
４    下部キャップ
５    発光部
５ｄ  発光部回動ガイド
６    太陽電池部
７    支柱
９    反射シート
【図１】
0004963667.tif 000002
【図２】
0004963667.tif 000003
【図３】
0004963667.tif 000004
【図４】
0004963667.tif 000005
【図５】
0004963667.tif 000006
【図６】
0004963667.tif 000007
【図７】
0004963667.tif 000008